(57)【要約】      （修正有）【課題】羽車により糸案内糸かけが高速運転するときに、その外側ブロックと内側ブロックにより糸案内糸かけが遠心力で脱離するのを防止することができる糸案内糸かけ付き編み機の提供。【解決手段】本考案の糸案内糸かけ付き編み機は、編み機の上蓋の上に防護装置を増設したものである。防護装置にはそれぞれ編み機の羽根車の周り外側と内側に防護ブロックを取り付ける。さらにその糸案内糸かけが外側ブロックと内側ブロックに接触することで、糸案内糸かけの回旋運動にともなうねじり力と速度を引き下げ、部品の損壊を防止するほか、作業をより高速かつ円滑に進行させる。【選択図】図２
0003118191.tif 000002
【実用新案登録請求の範囲】
【請求項１】
台座に合った上蓋、台座に組み込まれた伝動部品、出伝動部をつなげる複数の羽根車、羽根車から力を受け動く糸案内糸かけから構成され、各羽根車の周囲の縁は複数の開口が設けられている糸案内糸かけ付き編み機でって、その糸案内糸かけは主軸、主軸側を貫通した台座、主軸の反対側を貫通した紡織部から構成されていることを特徴とする糸案内糸かけであり、台座は糸案内糸かけの台座が開口の中に伸びやすいように2 つの枢動部品から構成され、２つの駆動部品を開口の外側に隣接させたことを特徴とする糸案内糸かけである。その編み機は、複数の孔の中心と羽根車に沿って設置された内側ブロックと複数の羽根車の外側に沿って設置された外側ブロックを備えた防護装置を上蓋の上と羽根車の脇の部分を増設し、内側ブロックと外側ブロックは２つの枢動部品の間に設置していることを特徴とする糸案内糸かけ付き編み機。
【請求項２】
台座、台座の上蓋、台座の中に設置された伝動部品、伝動部品をつなぐ複数の羽根車、羽根車の力を受けて動く糸案内糸かけから構成され、各羽根車の周囲の縁は複数の開口が設けられている糸案内糸かけ付き編み機であって、その糸案内糸かけは主軸、主軸側を貫通した台座、主軸の反対側を貫通した紡織部から構成されていることを特徴とする糸案内糸かけであり、また台座は糸案内糸かけの台座が開口の中に伸びやすいように２つの枢動から構成され、２つの駆動部品を開口の外側に隣接させ、それはその複数の孔の中心と羽根車に沿って設置された内側ブロックと複数の羽根車の外側に沿って設置された外側ブロックを備えた防護装置を上蓋の上と羽根車の脇の部分を増設し、内側ブロックと外側ブロックは少なくとも枢動部品と同じ高さにあることを特徴とする糸案内糸かけ付き編み機。
【考案の詳細な説明】
【技術分野】
【０００１】
本考案は、編み機の設計に係り、特に、部品の損壊を防ぐとともに、編み機の速度を引き上げる機能も備えた糸案内糸かけ付きの編み機に関する。
【背景技術】
【０００２】
図１のように、従来の編み機には土台１１、台座の上蓋１２、台座１２の中に組み込まれた伝動部１３、伝動部１３につながる複数の羽根車１４、複数の羽根車１４を受けて動く糸案内糸かけ１５（本図では一枚の羽根車１４と糸案内糸かけ１５を例とする）から構成されている。羽根車１４の縁には複数の開口１４１、糸案内糸かけ１５には主軸１５１、主軸１５１の一方を突き抜けて置かれた土台１５２、主軸１５１のもう一方を突き抜けておかれた編みこみ部品１５３があり、前述の土台１５２は２つの枢動部品１５４から作られ、糸案内糸かけの土台１５２を開口１４１の中に伸ばし入れることで、２つの枢動部品１５４をその開口１４１の外側にひっつける仕組みになっている。編み機１が作業をする時、その伝動部品１３は複数の羽根車１４を動かし、さらに糸案内糸かけ１５が羽根車１４の周りを回るように動き、その動作を繰り返し行なうことで編む作業が完成するのである。
【０００３】
しかしながら、実際に使用してみて、その編み機１には足りないものがあることに気づいた。それについて、次に詳しく説明する。
糸案内糸かけははずれやすい、編み機１の編みこむ速度は、その羽根車１４が伝動部品１３から出された力を受けて決まる。そのため、その羽根車１４の回転が速いほど糸案内糸かけ１５に外側へ振り飛ばそうとする遠心力が働き、このとき羽根車１４の周りは何の防護も受けないので、糸案内糸かけ１５がはずれやすくなり、作業の円滑性にも影響を及ぼしてしまう。それだけでなく、羽根車１４の回転速度を上げることができないため、かえって糸案内糸かけ１５の編みこむ速度を速めることができない。
【０００４】
部品が壊れやすい、続いて、糸案内糸かけ１５に離脱現象が発生した時、羽根車１４との間に摩擦が生じ、糸案内糸かけ１５か羽根車１４のどちらかが壊れてしまう。その上、糸案内糸かけ１５が遠心力を使って外側へ振り飛ばそうとする過程において、その主軸１５１と羽根車１４が接触する場所にねじれ力が生じ、外側へ振り飛ばそうとする遠心力が強いほど主軸１５１はその力に耐え切れず炸裂してしまうのである。そのため、常時糸案内糸かけ１５を交換せねばならず、結局は修理費用の支出増加につながっている。
【考案の開示】
【考案が解決しようとする課題】
【０００５】
そこで、本考案の目的は、部品の故障を防ぎ、編み機の速度をアップさせる効果を持つ糸案内糸かけ付きの編み機を提供することにある。
【課題を解決するための手段】
【０００６】
請求項１の考案は、台座に合った上蓋、台座に組み込まれた伝動部品、出伝動部をつなげる複数の羽根車、羽根車から力を受け動く糸案内糸かけから構成され、各羽根車の周囲の縁は複数の開口が設けられている糸案内糸かけ付き編み機でって、その糸案内糸かけは主軸、主軸側を貫通した台座、主軸の反対側を貫通した紡織部から構成されていることを特徴とする糸案内糸かけであり、台座は糸案内糸かけの台座が開口の中に伸びやすいように2 つの枢動部品から構成され、２つの駆動部品を開口の外側に隣接させたことを特徴とする糸案内糸かけである。その編み機は、複数の孔の中心と羽根車に沿って設置された内側ブロックと複数の羽根車の外側に沿って設置された外側ブロックを備えた防護装置を上蓋の上と羽根車の脇の部分を増設し、内側ブロックと外側ブロックは２つの枢動部品の間に設置していることを特徴とする糸案内糸かけ付き編み機としている。
請求項２の考案は、台座、台座の上蓋、台座の中に設置された伝動部品、伝動部品をつなぐ複数の羽根車、羽根車の力を受けて動く糸案内糸かけから構成され、各羽根車の周囲の縁は複数の開口が設けられている糸案内糸かけ付き編み機であって、その糸案内糸かけは主軸、主軸側を貫通した台座、主軸の反対側を貫通した紡織部から構成されていることを特徴とする糸案内糸かけであり、また台座は糸案内糸かけの台座が開口の中に伸びやすいように２つの枢動から構成され、２つの駆動部品を開口の外側に隣接させ、それはその複数の孔の中心と羽根車に沿って設置された内側ブロックと複数の羽根車の外側に沿って設置された外側ブロックを備えた防護装置を上蓋の上と羽根車の脇の部分を増設し、内側ブロックと外側ブロックは少なくとも枢動部品と同じ高さにあることを特徴とする糸案内糸かけ付き編み機としている。
【考案の効果】
【０００７】
本考案糸案内糸かけ付きの編み機は、台座、台座の上の上蓋、台座の中の伝動部品、伝動部品につながっている複数の羽根車、羽根車の力を受けて動く複数の糸案内糸かけから構成される。そして、羽根車の周囲には防護装置を増設した。防護装置には複数の孔をあけ、羽根車に沿って設置した内側ブロックと羽根車の外側に沿って設置した複数のブロックなどの部品がある。このため、糸案内糸かけが高速運転する時、その内側ブロックと外側ブロックにより糸案内糸かけが遠心力を受けて外側へ振り飛ばされるのを確実に防ぎ、糸案内糸かけと内側ブロック・外側ブロックが接触するのを通して糸案内糸かけのねじれ力と速度を落とすので、部品の損壊を確実に防止するだけでなく、作業の高速性、円滑性を引き上げる。
【考案を実施するための最良の形態】
【０００８】
本考案に関する前述の事項及びその他の技術内容、特長、効果について、図面を参考に優れた実施例を見ながらわかりやすく説明しよう。
図２、図３は、本考案である糸案内糸かけ付き編み機２の優れた実施例である。その編み機は台座２１、台座２１の上蓋２２、台座の中に組み込まれた伝動部品２３、伝動部品２３とつながる複数の羽根車２４、羽根車２４の力を受けて動く糸案内糸かけを備え、羽根板２４の周りの縁には複数の開口２４１がある。また、その糸案内糸かけ２５は主軸２５１、主軸２５１を貫通した側の台座２５２、主軸２５１を貫通した反対側にある織りこみ部品２５３を備えており、前述の台座２５２は糸案内糸かけの台座２５２を開口の中に伸ばしやすく、２つの駆動部品２５４を開口の外側につけるように、２つの枢動部品２５４で構成されている。注目すべきは、図４のように、上蓋２２の上と羽根車２４の脇に防護装置２６を増設したことである。その防護装置２６には複数の羽根車２４の内側に沿って内側ブロック２６１と、複数の羽根車２４の外側に沿って外側ブロック２６２を設置した。前述の内側ブロック２６１と外側ブロック２６２はその２つの枢動部品２５４の間に置いた。
【０００９】
図３のように、編みこみ作業を行なうとき、その伝動部品２３は複数の羽根車２４を自転させ、糸案内糸かけ２５が羽根車２４の周りを回って動かす仕組みである。糸案内糸かけ２５が動く過程で、内側ブロック２６１、外側ブロック２６２でブロックし、糸案内糸かけ２５が遠心力により外側へ振り飛ばされることにより発生する離脱現象を確実に防止する。あるいは２つの駆動部品２５２が羽根車２４とお互いに摩擦し合って、糸案内糸かけ２５の回転がさらに加速し円滑に動かされることにより織り込み作業が行なわれるために生産力が高まり、ひいては商品競争力の向上にもつながる。また、糸案内糸かけ２５が高速で動く過程で、主軸２５１と羽根車２４がお互いに接触する場所ではねじれ力が生じるものの、内側ブロック２６１と外側ブロック２６２でブロックされて、ねじれ力が引き下げられるため、主軸２５１がねじれ力による圧力で損壊することはない。したがって、常時修理することからも開放され、修理費用の支出も抑えられて、作業の利便性も向上する。
【００１０】
図５は、本考案の糸案内糸かけ付き編み機２のもう一つの優れた実施例である。その編み機は台座２１、上蓋２２、伝動部品２３、複数の羽根車２４、糸案内糸かけなどの部品から構成される。前述の部品は前項の実施例と同じであるため詳述は省く。注目すべきは、内側ブロック２６１と外側ブロック２６２の高さが少なくともその枢動部品２５４と同じ高さであることだ。これは糸案内糸かけ２５が回転する過程で、糸案内糸かけ２５が遠心力により外側へ振り切られようとするとき、内側ブロック２６１と外側ブロック２６２と２つの駆動部品２５４が摩擦により擦れ合うので、糸案内糸かけ２５が遠心力により離脱するのを防ぐだけでなく、内側ブロック２６１と外側ブロック２６２が２つの駆動部品２５４と擦れ合う過程で、糸案内糸かけ２５の回転速度が下がるため、高速かつスムースに編みこみ作業を進め、ねじれ力により糸案内糸かけ２５の損壊を避けることができる。
【００１１】
上述の説明から、本考案の糸案内糸かけ付き編み機は従来品と比較して次のようなメリットと効果がある。
糸案内糸かけが離脱しにくい
防護装置の内側ブロックと外側ブロックが羽根車の周りに設置されているため、糸案内糸かけに離脱現象が生じようとしたとき、それをしっかりブロックして糸案内糸かけが羽根車から離脱するのを確実に防止し、作業をよりスムーズに進行させることができる。
部品が損壊しにくい
前項に関連して、糸案内糸かけが離脱しようとするとき、防護装置によりブロックされるため、高速編みこみ過程で糸案内糸かけの自転数が弱まり、反対に糸案内糸かけと主軸が接触する場所でのねじれ力が大幅に低下するため、糸案内糸かけや羽根車などの部品の損壊を確実に防ぎ、ひいては修理費支出削減にもつながる。
【００１２】
前述の事項をまとめると、本考案は防護装置を増設したことにより、糸案内糸かけの離脱発生と部品の損壊を防ぐ効果があるほか、実際に編みこむ速度も速めることができ、実用新案の目的を着実に達成することができた。
【図面の簡単な説明】
【００１３】
【図１】常用されている編み機の図解。
【図２】本考案の優れた点を証明する実施例の図解。
【図３】本考案の優れた点を証明する実施例の上から見た図解。
【図４】本考案の優れた点を証明する実施例の局部的な分解図。
【図５】本考案の別の優れた点を証明する実施例の局部的な分解図。
【符号の説明】
【００１４】
２  糸案内糸かけ付き編み機      ２１  台座
２２  上蓋                      ２３  伝動部品
２４  羽根車                    ２５  糸案内糸かけ
２６  防護装置                  ２４１  開口
２５１  主軸                    ２５２  土台
２５３  紡織                    ２５４  枢動部品
２６１  内側ブロック            ２６２  外側ブロック
【図１】
0003118191.tif 000003
【図２】
0003118191.tif 000004
【図３】
0003118191.tif 000005
【図４】
0003118191.tif 000006
【図５】
0003118191.tif 000007